(57)【要約】      （修正有）【課題】立設型のテーブルの周囲の部材・ユニット等を装置から分離せずに、そのテーブルの着脱を行うことができ、これにより時間ロスを大幅に減少させることができるテーブル取外用治具を提供する。【解決手段】テーブル取外用治具１００は、装置本体におけるテーブルの外部に取り付けられる治具本体１１０を備え、治具本体１１０には、水平方向に延在する一対の着脱バー１３１および一対の機外引出バー１４１が設けられている。着脱バー１３１は、テーブルの取外時にテーブルの前面に取り付けられ、テーブルを所定位置まで水平方向に移動させるために用いられる。機外引出バー１４１は、所定位置からテーブルを水平方向に移動させるために用いられる。着脱バー１３１をテーブルの上側と下側に配置し、機外引出バー１４１をテーブルの上側に配置することが好適である。【選択図】図２
2013022662.tif 000002
【特許請求の範囲】
【請求項１】
工作機械における装置本体からテーブルを取り外すための治具であって、
前記装置本体における前記テーブルの外部に取り付けられる治具本体と、
前記治具本体に設けられて水平方向に延在する一対の第１バーおよび一対の第２バーとを備え、
前記第１バーは、前記テーブルの取外時に前記テーブルの一面に取り付けられ、前記テーブルを所定位置まで水平方向に移動させるために用いられ、
前記第２バーは、前記所定位置から水平方向に前記テーブルを移動させるために用いられることを特徴とするテーブル取外用治具。
【請求項２】
前記治具本体は、柱部と前記柱部の両端部に固定された上側梁部および下側梁部とを有してコ字状をなし、
前記第１バーは、前記上側梁部および前記下側梁部のそれぞれに配置され、
前記第２バーは、前記上側梁部に並んで配置されていることを特徴とする請求項１に記載のテーブル取外用治具。
【請求項３】
前記上側梁部には、上側バー設置部が設けられ、
前記下側梁部には、下側バー設置部が設けられ、
前記第１バーは、前記上側バー設置部および前記下側バー設置部の第１バー用孔部内に摺動可能に設けられることを特徴とする請求項２に記載のテーブル取外用治具。
【請求項４】
前記上側バー設置部は、前記上側梁部に着脱自在に設けられ、
前記第２バーは、前記上側バー設置部の第２バー用孔部内を貫通して設けられ、
前記第２バーによる前記テーブルの移動時、前記デーブルは前記上側バー設置部に固定され、前記上側バー設置部は前記第２バーに案内されることを特徴とする請求項３に記載のテーブル取外用治具。
【発明の詳細な説明】
【技術分野】
【０００１】
本発明は、工作機械においてワークが固定されるテーブルを取り外すためのテーブル取外用治具に係り、特に立設型のテーブルの取り外しに好適な技術に関する。
【背景技術】
【０００２】
工作機械は、ワークを加工する加工装置と、ワークが固定されるテーブルを有するワーク固定装置を備えている。ワーク固定装置では、その装置のメンテナンス等をするために、テーブルを取り外す必要がある。
【０００３】
たとえば特許文献１は、ワーク固定装置であるテーブルユニットが加工装置と一体化された工作機械を開示している。その工作機械は、水平方向から所定角度傾斜するとともに旋回可能に配置された旋回テーブルを有するテーブルユニットを備え、そのようなテーブルユニットを水平方向に引き出すことにより工作機械から取り外すことを可能とする治具が設けられている。
【先行技術文献】
【特許文献】
【０００４】
【特許文献１】特開２００４−１６０５８４号公報
【発明の概要】
【発明が解決しようとする課題】
【０００５】
このように旋回テーブルを有する工作機械では、テーブルユニットが水平方向に取り外される。しかしながら、たとえば複雑な構造を有する工作機械において、特に立設型のテーブル取り外すことは容易ではない。これについて、図６に示す立設型のテーブルを有する工作機械の具体例を用いて説明する。図６は、工作機械のワーク固定装置の概略構成を表し、（Ａ）はワーク固定装置の前面図、（Ｂ）はワーク固定装置におけるテーブルを含む部分の側断面図である。
【０００６】
ワーク固定装置１０は、基台１１を備え、基台１１上に装置本体１２が固定されている。装置本体１２は、底部１２Ａおよび一対の柱部１２Ｂを有してコ字状をなしている。装置本体１２のコ字状の開口部上方には、天板１３が設けられている。装置本体１２と天板１３により形成される空間内には、テーブル２１が配置されている。
【０００７】
テーブル２１の前面にワークＷが取り付けられ、テーブル２１の後面の中央部には、テーブル２１を垂直方向に移動させるシフトシリンダ２２が設けられ、テーブル２１の後面の上下端部には、テーブル２１を垂直方向に案内するリニアガイド２３が設けられている。天板１３上には、垂直方向に延在する軸線回りにテーブル２１を回転させるためのドライブユニット２４が設けられている。このようなワーク固定装置１０には、ワークＷを加工する加工装置（図示略）が対向して配置される。
【０００８】
ワーク固定装置１０では、重要な構成部品であるシフトシリンダ２２およびリニアガイド２３のメンテナンスを行うために、テーブル２１を取り外す必要がある。しかしながら、テーブル２１は、装置本体１２と天板１３により形成される空間内で各部位に囲まれ、しかも、天板１３上にドライブユニット２４が設けられているため、テーブル２１をクレーン等を用いて上方へ引き出すことが困難である。そのため、従来では、テーブル２１の上方に配置されている部材・ユニット等を取り外した後、装置本体１２を床面に降ろし、そこで装置本体１２を倒した状態でテーブル２１の着脱を行っていた。
【０００９】
このようにテーブル２１の取り外しにはテーブルの周囲の部材・ユニット等を装置から分離する必要があり、テーブル２１の取り付けにはテーブルの周囲の部材・ユニット等を装置に組み付ける必要があるため、テーブル２１の着脱に大きな時間ロスが生じる。また、テーブル２１をワーク固定装置１０に取り付けて元の状態に戻した後、テーブル周囲の部材・ユニット等について精度の確認が必要となるため、大きな時間ロスが生じる。
【００１０】
したがって、本発明は、立設型のテーブルの周囲の部材・ユニット等を装置から分離せずに、そのテーブルの着脱を行うことができ、これにより時間ロスを大幅に減少させることができるテーブル取外用治具を提供することを目的とする。
【課題を解決するための手段】
【００１１】
本発明のテーブル取外用治具は、工作機械における装置本体からテーブルを取り外すための治具であって、装置本体におけるテーブルの外部に取り付けられる治具本体と、治具本体に設けられて水平方向に延在する一対の第１バーおよび一対の第２バーとを備え、第１バーは、テーブルの取外時にテーブルの一面に取り付けられ、テーブルを所定位置まで水平方向に移動させるために用いられ、第２バーは、所定位置から水平方向にテーブルを移動させるために用いられることを特徴とする。
【００１２】
本発明のテーブル取外用治具では、装置本体におけるテーブルの外部に治具本体を取り付け、水平方向に延在する一対の第１バーを、テーブルの取外時にテーブルの一面に取り付け、そのような第１バーを用いることにより、テーブルを水平方向に沿って所定位置まで移動させることができる。次いで、水平方向に延在する第２バーを用いることにより、その所定位置からテーブルを移動させることができる。このように第１バーおよび第２バーを用いてテーブルを水平方向に移動させることができるから、テーブルを装置本体から容易に取り外すことができる。この場合、テーブルの周囲の部材・ユニット等の装置本体からの分離が不要であるから、時間ロスを大幅に減少させることができる。
【００１３】
また、たとえばテーブルを所定位置まで移動させて装置本体から離間させた状態で装置本体のメンテナンスを行うことができる。さらに、テーブルを装置本体の外部に移動させた場合、そこでクレーンを使用することができる。また、第１バーおよび第２バーを用いてテーブルの取外時と逆の操作を行うことにより、テーブルを装置本体に取り付けて元の状態に戻すことができる。この場合、テーブルの取外時にテーブル周囲の部材・ユニット等を装置本体から分離していないから、部材・ユニット等の装置本体への組み付けが不要となり、しかも、それらについての精度の確認が不要となるから、時間ロスを大幅に減少させることができる。
【００１４】
また、テーブル取外用治具の構成部品を軽量とすることにより、テーブル取外用治具の装置本体への取り付けは、クレーン等を使用せずに行うことができる。以上のような本発明のテーブル取外用治具を用いた着脱手法は、テーブルを水平方向に移動させることにより着脱を行うことができるから、特に立設型のテーブルに有効である。
【００１５】
本発明のテーブル取外用治具は種々の構成を用いることができる。たとえば治具本体は、柱部と柱部の両端部に固定された上側梁部および下側梁部とを有してコ字状をなし、第１バーは、上側梁部および下側梁部のそれぞれに配置され、第２バーは、上側梁部に並んで配置されている態様を用いることができる。
【００１６】
この態様では、第１バーをテーブルの上側と下側に配置することができるとともに、第２バーをテーブルの上側で水平方向に配置することができる。これにより、第１バーを用いてテーブルの上側および下側を確実に支持することができるので、所定位置までのテーブルの引き出しを容易に行うことができる。また、所定位置からのテーブルの移動では、水平方向に配置された第２バーを用いてテーブルの上側を支持することができるので、テーブルの水平方向移動を安定的に行うことができる。
【００１７】
また、上側梁部には、上側バー設置部が設けられ、下側梁部には、下側バー設置部が設けられ、第１バーは、上側バー設置部および下側バー設置部の第１バー用孔部内に摺動可能に設けられる態様を用いることができる。上側バー設置部は、上側梁部に着脱自在に設けられ、第２バーは、上側バー設置部の第２バー用孔部内を貫通して設けられ、第２バーによるテーブルの移動時、デーブルは上側バー設置部に固定され、上側バー設置部は第２バーに案内される態様を用いることができる
【発明の効果】
【００１８】
本発明のテーブル取外用治具によれば、立設型のテーブルの周囲のユニットを装置から分離せずに、そのテーブルの着脱を行うことができ、これにより時間のロスを大幅に減少させることができる。
【図面の簡単な説明】
【００１９】
【図１】本発明の一実施形態に係るテーブル取外用治具が適用される工作機械のワーク固定装置の概略構成を表す図である。
【図２】本発明の一実施形態に係るテーブル取外用治具の概略構成を表す斜視図である。
【図３】本発明の一実施形態に係るテーブル取外用治具を用いたテーブルの取外作業を説明するための図であって、テーブル取外用治具によるテーブルの取外開始状態の斜視図である。
【図４】図３に続くテーブルの取外作業状態を表し、テーブル取外用治具の着脱バーによるテーブルの引出状態を表す斜視図である。
【図５】図４に続くテーブルの取外作業状態を表し、テーブル取外用治具の機外引出バーによるテーブルの機外引出状態を表す斜視図である。
【図６】工作機械のワーク固定装置の概略構成を表し、（Ａ）はワーク固定装置の前面図、（Ｂ）はワーク固定装置におけるテーブルを含む部分の側断面図である。
【発明を実施するための形態】
【００２０】
（１）実施形態の構成
以下、本発明の一実施形態について図面を参照して説明する。図１は、本発明の一実施形態に係るテーブル取外用治具が適用されるワーク固定装置の概略構成を表す図である。図２は、本発明の一実施形態に係るテーブル取外用治具の構成を表す斜視図である。図１では、テーブル取外用治具１００は、着脱バー１３１およびバー用ガイド１３１Ａが取り外された状態である。ワーク固定装置１０は、たとえば図６に示すものと同様な構成を有している。本実施形態での方向の表記は、図１に示すワーク固定装置１０にテーブル取外用治具１００を取り付けた態様に基づき記載しており、前後方向において、前側は図１の手前側に対応し、後側は図１の奥側に対応し、左右方向において、左側は図１の左側に対応し、右側は図１の右側に対応している。
【００２１】
テーブル取外用治具１００は、たとえばワーク固定装置１０の左側テーブル２１を取り外すための治具である。テーブル２１は、たとえば上端部および下端部の中央部に孔部２１Ａが形成されている。テーブル取外用治具１００は、治具本体１１０を備えている。治具本体１１０は、たとえば柱部１１１、上側梁部１１２、下側梁部１１３、上側支持部１１４、および、下側支持部１１５を有している。 
【００２２】
柱部１１１は、たとえば垂直方向に延在している。上側梁部１１２は、たとえば柱部１１１の上端部に設けられ、下側梁部１１３は、たとえば下側支持部１１５を介して柱部１１１の下端部に着脱可能に設けられている。梁部１１２，１１３は、たとえば柱部１１１から右方向に延在している。
【００２３】
上側梁部１１２の右端部には、たとえば上側バー設置部１２１が着脱自在に設けられている。上側バー設置部１２１は、たとえば横方向部１２１Ａおよび縦方向部１２１Ｂを有してＴ字状をなしている。横方向部１２１Ａは、上側梁部１１２上に着脱自在に設けられている。横方向部１２１Ａには、バー用ガイド１４１Ａ，１４１Ａが並んで設けられている。縦方向部１２１Ｂは、横方向部１２１Ａと一体的に形成され、横方向部１２１Ａから下方に延在している。縦方向部１２１Ｂには、上側バー用ガイド１３１Ａが設けられている。下側梁部１１３の右端部には、たとえば下側バー設置部１２２が設けられている。下側バー設置部１２２には、下側バー用ガイド１３１Ａが設けられている。バー設置部１２１，１２２のバー用ガイド１３１Ａは、たとえば上下方向において互いに対向するように配置されている。
【００２４】
上側支持部１１４は、たとえば柱部１１１の上端部に固定され、下側支持部１１５は、たとえば柱部１１１の下端部に固定されている。上側支持部１１４は、たとえば柱部１１１から後方向に延在している。下側支持部１１５は、たとえば柱部１１１から前後方向に延在している。下側支持部１１５の前端部には下側梁部１１３が着脱可能に設けられている。上側支持部１１４および下側支持部１１５の後端部は、ワーク固定装置１０に対するテーブル２１の着脱時、装置本体１２の左側柱部１２Ｂに固定される。
【００２５】
一対の着脱バー１３１（第１バー）は、上側バー設置部１２１および下側バー設置部１２２に配置されている。具体的には、上側着脱バー１３１は、上側バー設置部１２１の縦方向部１２１Ｂの孔部内および上側バー用ガイド１３１Ａの孔部内に挿脱自在に設けられている。下側着脱バー１３１は、下側バー設置部１２２の孔部内および下側バー用ガイド１３１Ａの孔部内に挿脱自在に設けられている。着脱バー１３１は、水平方向の前後側に延在し、着脱バー１３１の前端部は、バー用ガイド１３１Ａより前側に位置し、着脱バー１３１の後端部は、バー用ガイド１３１Ａより後側に位置している。
【００２６】
着脱バー１３１は、バー用ガイド１３１Ａの孔部内で案内されて前後方向に移動することができる。着脱バー１３１は、テーブル２１の取外時に、固定手段を適宜用いて、テーブル２１の前面の孔部２１Ａに固定される。固定手段としては、たとえば孔部２１Ａの内周面に形成された雌ネジ部と、着脱バー１３１の後端部外周面に形成された雌ネジ部に雄ネジ部とからねじ手段を用いることができ、この場合、孔部２１Ａの雌ネジ部に着脱バー１３１の雄ネジ部に螺合させることにより、テーブル２１に着脱バー１３１を固定することができる。テーブル２１は、着脱バー１３１によって、前後方向における上側梁部１１２の配置位置（所定位置）まで引き出すことが可能である。
【００２７】
一対の機外引出バー１４１（第２バー）は、たとえば上側梁部１１２の右端部に並んで配置され、上側バー設置部１２１の横方向部１２１Ａの孔部およびバー用ガイド１４１Ａの孔部を貫通して水平方向の前側に延在している。機外引出バー１４１の後端部は、上側梁部１１２の右端部に固定され、機外引出バー１４１の前端部は、バー用ガイド１４１Ａより前側に位置している。バー用ガイド１４１Ａおよび上側バー設置部１２１は、機外引出バー１４１に案内されて移動可能である。テーブル２１は、機外引出バー１４１によって、前後方向における上側梁部１１２の配置位置（所定位置）から前側へ引き出すことが可能である。この場合、テーブル２１の上端部は、たとえば上側バー設置部１２１の縦方向部１２１Ｂの後面に当接した状態となる。
【００２８】
テーブル取外用治具１００は、ワーク固定装置１０の左側テーブル２１を取り外すための治具であるから、治具本体１１０の柱部１１１から梁部１１２，１１３を右方向に延在させる形態を用いた。これに対して、ワーク固定装置１０の右側テーブル２１を取り外すための治具としてテーブル取外用治具１００を用いる場合、テーブル取外用治具１００は、治具本体１１０の柱部１１１から梁部１１２，１１３を左方向に延在させる形態とする。
【００２９】
（２）実施形態の動作
テーブル取外用治具１００を用いてワーク固定装置１０からテーブル２１を取り出す手法について図面を参照して説明する。
【００３０】
まず、テーブル取外用治具１００の治具本体１１０をワーク固定装置１０に取り付ける。具体的には、図１に示すように、着脱バー１３１およびバー用ガイド１４１Ａが設けられていない状態のテーブル取外用治具１００を準備し、治具本体１１０の上側支持部１１４および下側支持部１１５の後端面部を、ワーク固定装置１０の装置本体１２の左側柱部１２Ｂに固定する。次いで、たとえば必要に応じて引き上げボルト（図示略）を用いてテーブル２１を所定距離持ち上げる。これにより、テーブル２１の下端部のストッパ等の損傷を防止することができる。
【００３１】
続いて、上側バー用ガイド１３１Ａを、上側バー設置部１２１の縦方向部１２１Ｂに取り付けるとともに、下側バー用ガイド１３１Ａを、下側バー設置部１２２に取り付ける。続いて、上側着脱バー１３１を上側バー設置部１２１の上側バー用ガイド１３１Ａに挿通させ、たとえば上側着脱バー１３１の後端部をテーブル２１の上側孔部２１Ａに固定する。下側着脱バー１３１を下側バー設置部１２２の下側バー用ガイド１３１Ａに挿通させ、下側着脱バー１３１の後端部をテーブル２１の下側孔部２１Ａに固定する。この場合、たとえばワーク固定装置１０におけるテーブル２１とリニアガイド２３との固定を解除する。これにより、図３に示すテーブル２１の取外開始状態となる。
【００３２】
続いて、上下の着脱バー１３１の前端部を把持して前側に移動させると、着脱バー１３１は、バー用ガイド１３１Ａ内を摺動する。これにより、 たとえば図４に示すように上下の着脱バー１３１の後端部で支持されたテーブル２１は、前側に引き出される。この場合、テーブル２１が上側バー設置部１２１の縦方向部１２１Ｂの後面に当接するまで、テーブル２１を上下の着脱バー１３１により引き出すことができる。たとえば図４に示すテーブル引出状態では、テーブル２１は、図１に示す装置本体１２から離間しているから、たとえばテーブル２１と装置本体１２との間隔を適宜設定することにより、ワーク固定装置１０のメンテナンスを行うことができる。具体的には、シフトシリンダ２２やリニアガイド２３等の点検作業および交換作業を行うことができる。
【００３３】
次に、テーブル２１を機外に取り出す場合、テーブル２１の上端部が上側バー設置部１２１の縦方向部１２１Ｂの後面に当接させ、たとえば固定手段（図示略）を用いて、テーブル２１の上端部を上側バー設置部１２１の縦方向部１２１Ｂの後面に固定する。また、治具本体１１０の下側支持部１１５に対する下側梁部１１３の固定を解除し、下側梁部１１３および下側バー用ガイド１３１Ａを下側着脱バー１３１から取り外す。
【００３４】
続いて、上下の着脱バー１３１の前端部を把持して前側に移動させると、上側バー設置部１２１およびバー用ガイド１４１Ａは左右の機外引出バー１４１に案内され、上側バー設置部１２１の後面に固定されたテーブル２１は、前側に引き出される。上側バー設置部１２１を左右の機外引出バー１４１の前端部まで移動させると、テーブル２１を機外に位置させることができ、たとえば図５に示すテーブル２１の機外取外状態となる。この場合、テーブル２１は機外に位置しているから、たとえばクレーン等を用いてテーブル２１を持ち上げることができる。
【００３５】
ワーク固定装置１０から取り外されたテーブル２１をワーク固定装置１０に取り付ける場合、テーブル２１の取外時と逆の操作を行うことにより、テーブル２１を元の状態に戻すことができる。また、ワーク固定装置１０の右側テーブル２１を取り外す場合、治具本体１１０の柱部１１１から上側梁部１１２および下側梁部１１３を左方向に延在させた形態を有するテーブル取外用治具１００を用い、治具本体１１０の柱部１１１を装置本体１２の右側柱部１２Ｂに固定し、上記と同様な操作を行う。
【００３６】
以上のように本実施形態では、上下一対の着脱バー１３１および左右一対の機外引出バー１４１を用いてテーブル２１を水平方向に移動させることができるから、テーブル２１を工作機械のワーク固定装置１０の装置本体１２から容易に取り外すことができる。この場合、テーブル２１の周囲の部材・ユニット等の装置本体１２からの分離が不要であるから、時間ロスを大幅に減少させることができる。また、たとえばテーブル２１を所定位置まで移動させて固定装置１０の装置本体１２から離間させた状態で装置本体１２のメンテナンスを行うことができる。さらに、テーブル２１を装置本体１２の外部に移動させた場合、そこでクレーンを使用することができる。
【００３７】
また、着脱バー１３１および機外引出バー１４１を用いてテーブル２１の取外時と逆の操作を行うことにより、テーブル２１を装置本体１２に取り付けて元の状態戻すことができる。この場合、テーブル２１の取外時にテーブル２１周囲の部材・ユニット等を装置本体１２から分離していないから、部材・ユニット等の装置本体１２への組み付けが不要となり、しかも、それらについての精度の確認が不要となるから、時間ロスを大幅に減少させることができる。また、テーブル取外用治具１００を固定装置１０の装置本体１２に取り付ける場合、テーブル取外用治具１００の各構成部品の軽量化を図ることにより、テーブル取外用治具１００の装置本体１２への取り付けを容易に行うことができる。
【００３８】
特に、着脱バー１３１をテーブル２１の上側と下側に配置することができるから、着脱バー１３１を用いてテーブル２１の上側および下側を確実に支持することができ、その結果、所定位置までのテーブル２１の引き出しを容易に行うことができる。また、機外引出バー１４１をテーブル２１の上側で水平方向に配置することができるから、所定位置からのテーブル２１の移動では、そのような機外引出バー１４１によりテーブル２１の上側を支持することができるので、テーブル２１の水平方向移動を安定的に行うことができる。
【符号の説明】
【００３９】
１００…テーブル取外用治具、１１０…治具本体、１１１…柱部、１１２…上側梁部、１１３…下側梁部、１１４…上側支持部、１１５…下側支持部、１２１…上側バー設置部、１２１Ａ…横方向部、１２１Ｂ…縦方向部、１２２…下側バー設置部、１３１…着脱バー（第１バー）、１３１Ａ…バー用ガイド、１４１…機外引出バー（第２バー）、１４１Ａ…バー用ガイド、１０…ワーク固定装置、１２…装置本体
【図１】
2013022662.tif 000003
【図２】
2013022662.tif 000004
【図３】
2013022662.tif 000005
【図４】
2013022662.tif 000006
【図５】
2013022662.tif 000007
【図６】
2013022662.tif 000008